(57)【要約】      （修正有）【課題】コンセントの通電／断電を制御し、短絡の発生を防ぐための多連結スイッチを提供する。【解決手段】互いに係合するケース7、ベースボード14及び押しボタン1を備え、ベースボード14には、活線に接続される活線入力片15と中性線に接続される中性線入力片16が水平に置かれ、活線入力片15及び中性線入力片16の上にベースボード14に係合するセパレータ11が設けられ、セパレータ11には仕切板11bが設けられ、活性入力片15とそれに対応する出力片10との間に設けた通電／断電切換手段は、支持端子10aと、支持端子10aを支点とする跳ね板9とを備え、跳ね板9と中性線入力片16上の接触端子16aに、ネオン管ベース4の下の２つのスチールボール6,6'がそれぞれ当接する。【選択図】図１
2010262924.tif 000002
【特許請求の範囲】
【請求項１】
互いに係合するケース(7)、ベースボード(14)及びケース(7)の上にヒンジで連結される押しボタン(1)を備え、該押しボタン(1)の下には、ネオンランプ(2)付きのネオン管ベース(4)が固定され、該ネオン管ベース(4)の下には、２つのコイル(5、5')及び２つのスチールボール(6、6')が並列に取り付けられ、前記ベースボード(14)には、活線に接続される活線入力片(15)と、中性線に接続される中性線入力片(16)とが取り付けられ、該活線入力片(15)及び該中性線入力片(16)にはそれぞれ、接触端子(15a、16a)が設けられ、前記中性線入力片(16)は、対応する出力片(17)に直接に接続され、前記活線入力片(15)は、対応する出力片(10)との間に通電／断電切換手段が設けられ、該両出力片(10、17)の先端には、プラグに合うコンセント端子(13,13')が設けられている短絡防止多連結スイッチであって、
前記ベースボード(14)には、セパレートリブ(14a)が設けられ、該セパレートリブ(14a)の両側に前記活線入力片(15)と前記中性線入力片(16)とが水平に置かれ、該活線入力片(15)及び該中性線入力片(16)の上に前記ベースボード(14)に係合するセパレータ(11)が設けられ、
前記セパレータ(11)には、前記接触端子(15a、16a)を露出させる２つの小孔(11a、11a')が設けられ、該２つの小孔(11a、11a')の間には、仕切板(11b)が設けられ、
前記通電／断電切換手段は、前記出力片(10)の後端に設けられる支持端子(10a)と、該支持端子(10a)を支点とする跳ね板(9)とを備え、該出力片(10)は、前記セパレータ(11)の上に嵌合され、
前記跳ね板(9)及び前記活線入力片(15)の前記接触端子(15a)には、それぞれ、上下に対応する動接点(8)及び静接点(12)がリベット締めされ、
前記跳ね板(9)及び前記中性線入力片(16)上の前記接触端子(16a)に、前記ネオン管ベース(4)の下の前記２つのスチールボール(6,6')がそれぞれ当接することを特徴とする短絡防止多連結スイッチ。
【請求項２】
前記接触端子(15a、16a)はそれぞれ、前記活線入力片(15)及び前記中性線入力片(16)が折り曲げられて形成される上向き突起であり、前記ベースボード(14)における前記接触端子(15a、16a)に対応する位置には、上向き突起の位置決め凸部(14b、14b')が設けられている請求項１記載の短絡防止多連結スイッチ。
【請求項３】
前記位置決め凸部(14b、14b')には、放熱孔(14c、14c')が設置されている請求項２記載の短絡防止多連結スイッチ。
【請求項４】
前記セパレータ(11)には、前記中性線入力片(16)上の前記接触端子(16a)の左右両側にそれぞれ位置する２つのスペーシング部(11c)が設けられている請求項１〜請求項３何れか１項記載の短絡防止多連結スイッチ。
【請求項５】
前記セパレータ(11)の左右両側には、下向きの逆鈎(11d)が設けられ、前記ベースボード(14)の左右両側には、前記逆鈎(11d)に係合する段差(14e)が設けられている請求項４記載の短絡防止多連結スイッチ。
【請求項６】
前記ベースボード(14)の前後両側には、楔部(14d)が設けられ、前記ケース(7)の前後両側には、前記楔部(14d)に嵌合する角孔(7a)が設けられている請求項５記載の短絡防止多連結スイッチ。
【発明の詳細な説明】
【技術分野】
【０００１】
本発明は、小型の電気器具スイッチに関し、具体的にはコンセントの通電／断電を制御し、短絡の発生を防ぐことができるようにするための多連結（多接点）スイッチである。
【背景技術】
【０００２】
電気器具のプラグの挿抜時の感電を防止するため、従来のコンセントには一般的に、コンセントの通電／断電を制御するスイッチが取り付けられている。電気器具を使用する場合には、コンセントが断電の状態にある時にプラグを挿し込んでからスイッチを入れ、コンセントを通電にすると共に、電気器具に給電する。電源を断電にする必要がある場合には、まずスイッチを切ってからプラグを抜き出せばよい。従来のスイッチの出力接続片／入力接続片は、展開面積が比較的大きく、例えば銅のような比較的貴重な金属材料によって製造されるので、製造コストが高くなる。このような製品では、活線に接続される接続片と、中性線に接続される接続片との距離が非常に近く、その上、出力接続片／入力接続片の複雑な構造によって、セパレータの取り付けにより完全に隔離するということができず、このため、湿度の高い環境で、スイッチ内に異物があるときは、不注意に液体をスイッチにこぼすとスイッチが短絡し、安全上大きな危険がある。
【発明の概要】
【発明が解決しようとする課題】
【０００３】
本発明の目的は、上記の従来技術の欠陥及び不足に対して、構造が簡単で、コストが低く、且つ安全性の良好なスイッチをコンセントに提供することにある。
【課題を解決するための手段】
【０００４】
上記の目的を実現するために本発明が用いる技術手段は、以下の通りである。当該短絡防止多連結スイッチは、互いに係合するケース、ベースボード（シャーシ）及びケースの上にヒンジで連結される押しボタンを備え、上記押しボタンの下には、ネオンランプ付きのネオン管ベースが固定され、上記ネオン管ベースの下には、２つのコイル及び２つのスチールボールが並列に取り付けられ、ベースボードには、活線に接続される活線入力片と、中性線（零線）に接続される中性線入力片（零線入力片）とが取り付けられ、活線入力片及び中性線入力片にはそれぞれ、接触端子が設けられ、上記中性線入力片は、対応する出力片に直接に接続され、上記活線入力片は、対応する出力片との間に通電／断電切換手段が設けられ、両出力片の先端には、プラグに合うコンセント端子が設けられ、上記ベースボードには、セパレートリブが設けられ、セパレートリブの両側に活線入力片と中性線入力片が水平に置かれ、活線入力片及び中性線入力片の上にベースボードに係合するセパレータが設けられ、上記セパレータには、接触端子を露出させる２つの小孔が設けられ、２つの小孔の間には、仕切板が設けられ、上記通電／断電切換手段は、出力片の後端に設けられる支持端子と、支持端子を支点とする跳ね板とを備え、当該出力片は、セパレータの上に嵌合装着され、上記跳ね板及び活線入力片の接触端子には、それぞれ、上下に対応する動接点及び静接点がリベット締めされ、跳ね板及び中性線入力片上の接触端子に、上記ネオン管ベースの下の２つのスチールボールがそれぞれ当接する。
【０００５】
上記接触端子はそれぞれ、活線入力片及び中性線入力片が折り曲げられて形成される上向き突起であり、ベースボードにおける接触端子に対応する位置には、上向き突起の位置決め凸部が設けられている。
【０００６】
上記位置決め凸部には、放熱孔が設置されている。
【０００７】
上記セパレータには、中性線入力片上の接触端子の左右両側にそれぞれ位置する２つのスペーシング部が設けられている。
【０００８】
上記セパレータの左右両側には、下向きの逆鈎が設けられ、上記ベースボードの左右両側には、逆鈎に係合する段差が設けられている。
【０００９】
上記ベースボードの前後両側には、楔部が設けられ、上記ケースの前後両側には、楔部に嵌合する角孔が設けられている。上記中性線入力片は、対応する出力片及び接触端子と一体に切断され折り曲げられて成る。
【発明の効果】
【００１０】
本発明は、コンセント端子の通電／断電を制御するのに用いられ、コンセント端子が通電するとネオン管ベース内のネオンランプが発光し、コンセント端子が断電するとネオンランプが消えるので、ネオンランプが消えてからプラグの挿抜操作をするだけで、感電を防止することができる。本発明では、セパレータ及びセパレートリブの設置により、活線に接続される金属材と中性線に接続される金属材とを完全に仕切ることによって、湿度の高い環境で又はスイッチ内に異物があるときに容易に短絡が発生する問題を解決しており、構造が簡単で、コストが低く、且つ安全性の良好な利点を有する。
【図面の簡単な説明】
【００１１】
【図１】本発明の構造分解図である。
【図２】本発明のケースの下端の構造の見取り図である。
【図３】図２の別方向からの構造の見取り図である。
【図４】図２の俯瞰の見取り図である。
【図５】中性線入力片方向に沿った断面の見取り図である。
【図６】活線入力片方向に沿った断面の見取り図である。
【発明を実施するための形態】
【００１２】
図１、図２、図３、図４に示すように、本発明の短絡防止多連結スイッチは、互いに係合するケース７、ベースボード１４及びケース７の上にヒンジで連結される押しボタン１を備え、上記押しボタン１の下には、ネオンランプ２付きのネオン管ベース４が固定され、上記ネオン管ベース４の下には、２つのコイル５、５’及び２つのスチールボール６、６’が並列に取り付けられている。上記ベースボード１４の前後両側には、楔部１４ｄが設けられ、上記ケース７の前後両側には、楔部１４ｄに嵌合する角孔７ａが設けられ、楔部１４ｄと角孔７ａとの嵌合によってケース７とベースボード１４とを緊密に係合することができる。上記ベースボード１４には、セパレートリブ１４ａが設けられ、セパレートリブ１４ａの両側に活線に接続される活線入力片１５と、中性線に接続される中性線入力片１６とがそれぞれ水平に置かれて、活線と中性線とが接触して短絡するのを防ぐ。上記活線入力片１５及び中性線入力片１６にはそれぞれ、活線入力片１５及び中性線入力片１６が折り曲げられて形成される上向き突起であって「凸」形状を呈する接触端子１５ａ、１６ａが設けられている。上記ベースボード１４における接触端子１５ａ、１６ａに対応する位置には、上向き突起の位置決め凸部１４ｂ、１４ｂ’が設けらており、取り付けの際に接触端子１５ａ、１６ａを位置決めすると共に、接触端子１５ａ、１６ａの変形を防止することができる。位置決め凸部１４ｂ、１４ｂ’には、放熱孔１４ｃ、１４ｃ’が設置されており、接触端子１５ａ、１６ａの放熱に有用である。上記活線入力片１５と、これに対応し先端にコンセント端子１３を付帯する出力片１０との間には、通電／断電切換手段が設けられており、当該通電／断電切換手段は、出力片１０の後端に設けられる支持端子１０ａと、支持端子１０ａを支点とする跳ね板９とを備え、上記跳ね板９及び活線入力片１５の接触端子１５ａには、それぞれ、上下に対応する動接点８及び静接点１２がリベット締めされている。上記中性線入力片１６は、これに対応し先端にコンセント端子１３’を付帯する出力片１７に直接に接続されており、上記中性線入力片１６は、出力片１７及びコンセント端子１３’と一体に切断され折り曲げられることによって成り、その展開面積は比較的小さく、打ち抜き後の廃材も少ない。活線入力片１５及び中性線入力片１６の上には、ベースボード１４に係合するセパレータ１１が設けられ、上記セパレータ１１の左右両側には、逆鈎１１ｄが設けられ、上記ベースボード１４の左右両側には、逆鈎１１ｄに嵌合する段差１４ｅが設けられており、逆鈎１１ｄと段差１４ｅとの嵌合によってセパレータ１１をベースボード１４に緊密に係合することができる。上記セパレータ１１には、接触端子１５ａ、１６ａを露出させる２つの小孔１１ａ、１１ａ’が設けられ、２つの小孔１１ａ、１１ａ’の間には仕切板１１ｂが設けられており、上記出力片１０がセパレータ１１に嵌合する。当該セパレータ１１には、中性線入力片１６の接触端子１６ａの左右両側にそれぞれ位置する２つのスペーシング部（位置限定部）１１ｃがさらに設けられており、セパレータ１１上の仕切板１１ｂの嵌合によって、中性線入力片１６上の接触端子１６ａを、跳ね板９、出力片１０及び活線入力片１５上の接触端子１５ａから成る通電／断電切換手段とは隔離し、短絡を回避することができる。
【００１３】
図５、図６に示されるように、ネオン管ベース４の下に取り付けられる２つのスチールボール６、６’は、跳ね板９と、中性線入力片１６の接触端子１６ａとにそれぞれ当接し、上記ネオンランプ２は、抵抗３との直列接続を通じて、その両端がネオン管ベース４の下の２つのコイル５、５’にそれぞれ接続している。当該抵抗３は、ネオンランプ２の両端の電圧を下げて、ネオンランプ２の使用寿命を延ばすことができる。押しボタン１を押すことで、跳ね板９及び中性線入力片１６の接触端子１６ａを２つのスチールボール６、６’が左右に転がり、セパレータ１１上の２つのスペーシング部１１ｃがスチールボール６'の滑動範囲を制限する。このとき、コイル５の復元力の作用によって、跳ね板９は、動接点８と静接点１２とを接離させるように、支持端子１０ａを支点として揺動する。動接点８と静接点１２とが接触すると、ネオンランプ２は、両端がそれぞれ活線と中性線とに通じて発光し、活線入力片１５と中性線入力片１６との間の電圧が両コンセント端子１３、１３’を通じて出力していることを示す。
【００１４】
取り付けの際には、活線入力片１５及び中性線入力片１６をベースボード１４に水平に取り付け、両接触端子１５ａ、１６ａがそれぞれベースボード１４の位置決め凸部１４ｂ、１４ｂ’の上に位置するようにした後に、セパレータ１１をベースボード１４に係合すると共に、出力片１０をセパレータ１１に嵌合し、跳ね板９を出力片１０の支持端子１０ａに嵌合する。続いて、コイル５、５’及びスチールボール６、６'をネオン管ベース４の下に取り付け、ネオンランプ２と抵抗３とを直列接続してから両コイル５、５’に接続した後に、押しボタン１をネオン管ベース４の上に係合すると共に、押しボタン１を軸孔を通じてケース７に嵌合し、ヒンジで連結する。最後に、ケース７をベースボード１４に係合すればよい。
【符号の説明】
【００１５】
１    押しボタン
２    ネオンランプ
３    抵抗
４    ネオン管ベース
５，５’    コイル
６，６’    スチールボール
７    ケース
８    動接点
９    跳ね板
１０    出力片
１０ａ  支持端子
１１    セパレータ
１１ａ，１１ａ’    小孔
１１ｂ  仕切板
１１ｃ  スペーシング部
１１ｄ  逆鈎
１２    静接点
１３，１３’  コンセント端子    
１４    ベースボード
１４ａ    セパレートリブ
１４ｂ、１４ｂ’    位置決め凸部
１４ｃ、１４ｃ’    放熱孔
１４ｄ    楔部
１４ｅ    段差
１５    活性入力片
１５ａ    接触端子
１６    中性入力片
１６ａ    接触端子
１７    出力片
【図１】
2010262924.tif 000003
【図２】
2010262924.tif 000004
【図３】
2010262924.tif 000005
【図４】
2010262924.tif 000006
【図５】
2010262924.tif 000007
【図６】
2010262924.tif 000008